(57)【特許請求の範囲】
【請求項１】
摘便バッグであって、
一端に一つの開口部を備え、変形可能な材料から成る、便収容用の袋状の本体部と、
前記摘便バッグを肛門周囲皮膚に貼着させるための粘着部であって、前記開口部に沿って設けられ、粘着性を有する粘着部とを備え、
前記本体部は、その側面及び底面のうちの一方から本体部の内側に向かって突出した、先端が閉じた指挿入部を複数備え、
複数備えられた前記指挿入部は、それぞれ、前記本体部の外側から指を挿入することができ、
複数備えられた前記指挿入部の少なくとも一部を前記開口部を介して肛門内に挿入できるように構成されており、
複数備えられた前記指挿入部の各々は、複数備えられた前記指挿入部の各々から前記開口部までの距離が互いに異なる位置に形成されている、摘便バッグ。
【請求項２】
摘便バッグであって、
一端に一つの開口部を備え、変形可能な材料から成る、便収容用の袋状の本体部と、
前記摘便バッグを肛門周囲皮膚に貼着させるための粘着部であって、前記開口部に沿って設けられ、粘着性を有する粘着部とを備え、
前記本体部は、その側面及び底面のうちの一方から本体部の内側に向かって突出した、先端が閉じた指挿入部を複数備え、
複数備えられた前記指挿入部は、それぞれ、前記本体部の外側から指を挿入することができ、
複数備えられた前記指挿入部の少なくとも一部を前記開口部を介して肛門内に挿入できるように構成されており、
複数備えられた前記指挿入部の各々は、複数備えられた前記指挿入部の各々から前記開口部までの距離が互いに等しい位置に形成されている、摘便バッグ。
【請求項３】
前記粘着部は、前記開口部の端部に接続し、前記開口部から外側に張り出し、前記開口部を囲む形状を有し、
前記粘着部には、前記粘着部を二つに折り曲げるための折曲部が、設けられている、請求項１又は２に記載の摘便バッグ。
【請求項４】
前記本体部の内面のうち、少なくとも複数備えられた前記指挿入部の部分に、潤滑剤が塗布されている、請求項１〜３のいずれか１項に記載の摘便バッグ。
【発明の詳細な説明】
【関連出願の相互参照】
【０００１】
本国際出願は、２０１１年６月１３日に日本国特許庁に出願された日本国特許出願第２０１１−１３１４１５号に基づく優先権を主張するものであり、日本国特許出願第２０１１−１３１４１５号の全内容を参照により本国際出願に援用する。
【技術分野】
【０００２】
本発明は、例えば、自力での排泄が困難な患者に実施される医療処置である摘便において使用できる摘便バッグ（Ｄｉｓｉｍｐａｃｔｉｏｎ  Ｂａｇ）に関する。
【背景技術】
【０００３】
摘便という排泄援助法は、自力で大便の排出が困難な患者に対して医師の指示の下に看護師等が実施する医療処置であり、病医院ならびに訪問看護や高齢者介護施設の業務の中で日常的に行われている（特許文献１参照）。排泄のケアは、羞恥心の問題とともに、肛門出血の危険性や心身の負担が大きいという問題を伴うが、生命維持のためには必要不可欠な援助であり、下部消化管通過障害や腸管麻痺のために自力で排便できない患者の場合は摘便が必須である。【０００４】
摘便方法の一例は、ゴム手袋をはめて肛門から指を挿入し、直腸・結腸に溜まった便塊をほぐして掻き出し、掻き出した便を紙オムツにぬぐいつけたり、ポータブル便器に落としたりするという方法である。
【先行技術文献】
【特許文献】
【０００５】
【特許文献１】特開２００３−２１０５７１号公報
【発明の概要】
【発明が解決しようとする課題】
【０００６】
上述の一例では、患者と看護師の両者に、停留した便の悪臭による不快感を与えてしまう。また、上述の一例では、伝播・飛沫感染リスクがある。
本発明の１つの局面は、便の悪臭や便との接触、飛沫感染リスクを低減できる摘便バッグを提供できることが望ましい。
【課題を解決するための手段】
【０００７】
本発明に係る摘便バッグは、一端に一つの開口部を備え、変形可能な材料から成る、便収容用の袋状の本体部と、前記摘便バッグを肛門周囲皮膚に貼着させるための粘着部であって、前記開口部に沿って設けられ、粘着性を有する粘着部とを備え、前記本体部は、その側面及び底面のうちの一方から本体部の内側に向かって突出した、先端が閉じた指挿入部を複数備え、複数備えられた前記指挿入部の少なくとも一部を前記開口部を介して肛門内に挿入できるように構成されている。
【０００８】
本発明の摘便バッグは、次のように使用できる。まず、摘便バッグを患者に装着する。装着は、摘便バッグの粘着部を患者の肛門周囲皮膚に貼着するように行う。このとき、摘便バッグの開口部は、患者の肛門に臨み、肛門周囲に接触、好ましくは密着できる。また、摘便バッグの内部は、外部に対して好ましくは密閉される。次に、看護師等が少なくとも１つの指（例えば人差し指と中指）を本体部の外側から少なくとも１つの指挿入部に挿入した状態で、少なくとも１つの指挿入部の少なくとも一部を肛門内に入れ、更に直腸内に挿入する。その後、看護師等は少なくとも１つの指挿入部に挿入した少なくとも１つの指を動かすことで、患者の肛門から便を掻き出す。掻き出した便は、本体部の中に落とす。摘便の終了後、摘便バッグを患者の肛門周囲皮膚から取り外し、廃棄する。【０００９】
また、前記粘着部には、粘着部を二つに折り曲げるための折曲部が設けられていてもよい。この場合、折曲部を用いて粘着部を二つに折り曲げることで、本体部の開口部を容易に閉鎖することができる。本体部の開口部を閉鎖した場合、便の臭気の拡散や、感染を抑制することができる。【００１０】
本発明の摘便バッグは、掻き出した便を袋状の本体部の中に収容し、本体部を閉鎖することができるため、便の臭いの拡散を抑制できる。また、臭いが拡散しにくいことから、患者の心理的な負担を軽減できる。【００１１】
患者は、摘便バッグを装着したまま、体を動かし、姿勢を変えることが可能である。そのため、例えば、排便促進用の坐薬挿入や浣腸を行った後、摘便バッグを装着すれば、バッグの上から浣腸液が漏れないように肛門部を抑えることが可能であり、排便反射が起こるまで安楽な姿勢を保持しながら、便が出るのを待つことができる。排便反射後には、浣腸液と便はそのまま摘便バッグに収容でき、続けて摘便を実施する時には臭気を気にせずに排便ケアを受けることができる。【００１２】
また、本発明の摘便バッグは、便をその中に収容するので、看護師等は直接便に触れる必要がない。そのため、便中に、ＭＲＳＡ、肝炎、Ｏ−１５７、エイズ等の感染性の細菌やウイルスが含まれる場合でも、看護師等への感染を抑制できる。また、患者が抗がん剤治療を受けており、便中に有害な化学物質が含まれている場合でも、看護師、介護者への暴露を抑制できる。【００１３】
複数備えられた指挿入部の各々は、該複数備えられた指挿入部の各々から開口部までの距離が互いに等しい位置に形成されていてもよい。
【００１４】
また、本発明の摘便バッグを用いれば、従来の方法のように、別々に、紙オムツ、潤滑剤、防臭剤等の物品を揃える必要がない。
複数備えられた指挿入部の各々は、該複数備えられた指挿入部の各々から前記開口部までの距離が互いに異なる位置に形成されていてもよい。複数備えられた指挿入部の各々がこのような位置に配置されていることにより、複数備えられた指挿入部に挿入した複数の指による操作が容易になり、摘便の処置が一層容易になる。例えば人差し指と中指を本体部の外側から２つの指挿入部にそれぞれ挿入した状態で、２つの指挿入部の少なくとも一部を肛門内に入れ、更に直腸内に挿入して人差し指と中指両方を動かすことで、便を掻き出す作業が簡単になる。
【００１５】
前記粘着部は、中央に孔が形成された楕円形のシート状部材であり、その外周部にタブを備えていてもよい。タブを備えることにより、そのタブで、便を収容した摘便バッグをバネ秤により、便の重量を測定することもできる。【００１６】
前記本体部の内面のうち、少なくとも１つの指挿入部及び周囲に、潤滑剤が塗布されていてもよい。潤滑剤が塗布されていることにより、肛門及びその周囲粘膜を傷付けることなく、指で便をスムーズに取り出すことができる。潤滑剤は、本体部の内面全体に塗布されていてもよいし、少なくとも１つの指挿入部の部分だけに塗布されていてもよい。
【００１７】
前記変形可能な材料は特に限定されず、例えば、各種ゴム、プラスチック（特に伸縮性を有するプラスチック）、紙、表面に樹脂コーティングを施した紙等を用いることができる。この材料は、伸縮性も有してもよい。また、指挿入部の数は、人差し指と中指をそれぞれ挿入できるよう２個形成することが望ましいが、それ以外の個数でもよい。
【図面の簡単な説明】
【００１８】
【図１】第１実施形態における摘便バッグの構成を表す斜視図である。
【図２Ａ−２Ｄ】第１実施形態における摘便バッグの製造工程を表す説明図である。
【図３】第１実施形態における摘便バッグの使用方法を表す説明図である。
【図４】摘便バッグの変形例を拡大して表す斜視図である。
【図５】第１実施形態における摘便バッグを上方から見たときにおける２つの指挿入部と、タブと、折曲部との位置関係を表す説明図である。
【図６】第２実施形態における摘便バッグの構成を表す斜視図である。
【図７】第２実施形態における摘便バッグを上方から見たときにおける２つ指挿入部と、タブと、折曲部との位置関係を表す説明図である。
【図８】第３実施形態における摘便バッグの構成を表す側断面図である。
【図９】第４実施形態における摘便バッグの構成を表す斜視図である。
【図１０】第４実施形態における摘便バッグの製造工程の一部を表す説明図である。
【図１１】第４実施形態における摘便バッグの使用方法を例示する説明図である。
【符号の説明】
【００１９】
１・・・摘便バッグ、３、２０・・・本体部、５・・・粘着部、５ａ・・・皮膚装着面、５ａ・・・折曲部、７・・・開口部、９、１１・・・指挿入部、１２・・孔、１３・・・タブ、１３ａ・・・孔、１５、１７・・・凸部、１９・・・端部、２１・・・粘着部、２３・・・粘着剤層、１０１・・・患者、１０３・・・肛門
【発明を実施するための形態】
【００２０】
本発明の実施形態を図面に基づいて説明する。
＜第１の実施形態＞
１．摘便バッグ１の構成
摘便バッグ１の構成を、図１及び図５に基づいて説明する。摘便バッグ１は、低アレルギー性の透明なラテックスフリー（変形可能であり、伸縮可能な材料）の薄いゴム膜から成る袋状の本体部３と、粘着部５とを備える。袋状の本体部３は掻き出した便、粘膜等を収容するためのものである。なお摘便バッグ１は半透明であっても良い。
【００２１】
前記本体部３は、その一端に開口部７を備える。開口部７の形状は、円であってもよいし、楕円であってもよい。また、本体部３の容量は１０００ｍｌである。本体部３の側面（図１のように、開口部７を上向きとしたとき、側面となる部分）に、手の指を挿入可能な凹部状の指挿入部９、１１がそれぞれ形成されている。指挿入部９、１１は、本体部３における他の部分と一体であり、透明なラテックスフリーゴムの薄い膜から成る。すなわち、指挿入部９、１１は、本体部３の一部を、内側に嵌入させた凹部となっている。
【００２２】
指挿入部９は、摘便バッグ１を図１のように置いたとき、指挿入部１１の上側に位置する。すなわち、指挿入部９と指挿入部１１は、図１において、鉛直線に沿って配置されており、指挿入部９は、指挿入部１１よりも、開口部７までの距離が小さい。指挿入部９と指挿入部１１との間隔は、看護師等が指挿入部９に人差し指を入れ、指挿入部１１に中指を入れやすいように設定された間隔である。なお、指挿入部９と指挿入部１１の先端は閉じた状態であるので、看護師等が本体部３の外側から指挿入部９、１１に指（例えば５〜７ｃｍ）を挿入した状態で指を腸管内に入れても、指先が便等に直接触れることがない。
【００２３】
本体部３の内面には、水溶性潤滑剤が塗布されている。この水溶性潤滑剤は、指挿入部９、１１の部分にも塗布されている。水溶性潤滑剤は、水溶性潤滑ゼリーを用いることができる。
【００２４】
前記粘着部５は、中央に孔１２が形成された楕円形のシート状部材である。粘着部５は、本体部３の開口部７に取り付けられている。より詳しくは、粘着部５の下面（図１における下面）のうち、孔１２を囲む接着領域１４と、本体部３の開口部７側の端部とが接着されている。接着領域１４は、孔１２の全周にわたって延びている。また、本体部３の開口部７側の端部は、その全てが粘着部５に接着されている。粘着部５と本体部３とが上記のように接着されていることにより、粘着部５の孔１２は、開口部７に臨んでいる。また、本体部３の内部は、粘着部５の孔１２以外では、外部に対して密閉されている。また、粘着部５は、本体部３よりも、外側に張り出している。
【００２５】
粘着部５のうち、本体部３とは反対側の面（図１における上面）である皮膚装着面５ａに、粘着剤層が形成されており、皮膚に対して貼着可能である。また、粘着部５は、ハイドロ-コロイド（Hydro-colloid）皮膚保護材から成り、ハイドロ-コロイド皮膚保護材は、皮膚に貼着しても皮膚の負担が少ない。粘着部５の外周における一部には、タブ１３が形成されている。タブ１３の中心には、孔１３ａが設けられている。このように本体部３の開口部７に沿って設けられた、粘着性を有する粘着部５は、患者の肛門周囲皮膚に密着できるように構成されている。
【００２６】
皮膚装着面５ａには、折曲部５ｂが形成されている。折曲部５ｂは、皮膚装着面５ａにおける周囲よりも一段凹んだ溝である。折曲部５ｂは、粘着部５を、均等に２つ折にする場合における折り目線上（すなわち、粘着部５を２等分する直線上）に位置する。粘着部５は、折曲部５ｂを折り目として、皮膚装着面５ａが内側となるように、２つ折にすることができる。粘着部５を２つ折にしたとき、粘着部５の孔１２、及び本体部３の開口部７は閉じられる。また、粘着部５を２つ折にしたとき、皮膚装着面５ａの粘着剤層同士が貼り合わされ、２つ折の状態を維持する。
【００２７】
摘便バッグ１を上方（図１における上方）から見た場合において、開口部７の中心７ａを中心とする円を想定すると、その円周上において、図５に示すように、タブ１３の位置は、指挿入部９、１１の位置から、時計回りにθ回転した位置である。そのθの値は、４５〜１３５度の範囲内である。また、折曲部５ｂのうちの一方はタブ１３の近傍にあり、他方の折曲部５ｂは、上記の円周における反対側にある。
【００２８】
２．摘便バッグ１の製造方法
摘便バッグ１を製造する方法を図２Ａ−２Ｄに基づいて説明する。まず、図２Ａに示すように、開口部７を備えた袋状の本体部３を成形する。本体部３には、２つの指挿入部（この場合本体部３の内側から本体部３の外側に向かう凸部１５、１７となる）を設ける。なお、指挿入部としての凸部１５、１７は、本体部３における他の部分と一体成形されたものであり、本体部３における他の部分と同じ材質、及び同じ厚さを有する。
【００２９】
次に、図２Ｂに示すように、指挿入部（この場合凸部１５、１７となっている）を、本体部３の内側に押し込む。この結果、本体部３の外側から指を挿入できる指挿入部（この場合凸部１５、１７が本体部３内側に押し込まれることで凹部となる）９、１１が形成される。この場合、先端が閉じた指挿入部９、１１は、本体部３の側面から本体部３の内側に向かって突出した形状となる。そして、本体部３の外側から指を挿入することができる指挿入部９、１１は、開口部７を介して、その少なくとも一部(先端を含む部分)を、患者の肛門内に挿入することができるような、長さ及び弾力性を有している
次に、本体部３のうち、開口部７側の端部１９（図２Ａ及び２Ｂ参照）を、図２Ｃに示すとおり、外側に張り出すように折り曲げる。そして、その端部１９に、粘着部５の接着領域１４を貼り合わせる。貼り合わせる方法としては、熱溶着を用いることができる。本体部３と粘着部５とを上記のように貼り合わせた状態における側断面図を図２Ｄに示す。
【００３０】
次に、本体部３の内面に、水溶性潤滑剤を塗布する。また、粘着部５の皮膚装着面５ａに、図示しない剥離紙を貼着する。なお、この剥離紙は、摘便バッグ１を使用するときに剥がされる。上記のように製造した摘便バッグ１は、個別に包装することができる。
【００３１】
３．摘便バッグ１の使用方法
摘便バッグ１の使用方法を図３に基づいて説明する。まず、摘便バッグ１を個別包装から取り出し、粘着部５の皮膚装着面５ａに貼着されていた剥離紙を剥がす。そして、摘便バッグ１を患者１０１に装着する。装着は、摘便バッグ１の皮膚装着面５ａが、患者１０１における肛門１０３の周囲に貼着するように行う。このとき、摘便バッグ１の開口部７は、肛門１０３に臨む。また、摘便バッグ１の内部は、外部に対して密閉される。
【００３２】
摘便バッグ１の装着後、看護師等の人差し指を指挿入部９に挿入し、中指を指挿入部１１に挿入する。看護師等が指を入れた指挿入部９、１１及び本体部３の内側を開口部７側に伸ばして、指挿入部９、１１の少なくとも一部（例えば先端を含む部分）を肛門１０３内に入れて動かすことで、患者１０１の肛門から便を掻き出す。掻き出した便は、本体部３の中に落とす。摘便の終了後、摘便バッグ１を患者から取り外し、廃棄する。廃棄するときは、粘着部５を二つ折りにし、皮膚装着面５ａ同士を接着することが好ましい。このようにすることで、開口部７を閉じ、便の臭気の拡散や、感染を抑制することができる。また、摘便バッグ１を患者１０１から取り外した後、タブ１３をバネ秤のフックに引っ掛けて、摘便バッグ１の重量を測定することができる。予め摘便バッグ１のみの重量を取得しておき、便を収容した摘便バッグ１の重量から差し引けば、便のみの重量を算出することができる。
摘便バッグ１が奏する効果
（１）摘便バッグ１は、掻き出した便をその中に収容し、密閉することができる。そのため、便の臭いの拡散を抑制できる。また、臭いが拡散しにくいことから、患者の心理的な負担を軽減できる。なお、摘便バッグ１の密閉は、粘着部５を、折曲部５ｂにおいて、皮膚装着面５ａが内側となるように２つ折にすることで、容易に実現できる。この場合、皮膚装着面５ａの粘着剤層同士が貼り合わされるので、２つ折の状態（摘便バッグ１が密閉された状態）を維持することができる。摘便バッグ１は透明ないし半透明である場合、便の性状が観察しやすい。
【００３３】
（２）患者は、摘便バッグを装着したまま、体を動かし、姿勢を変えることが可能である。そのため、例えば、排便促進用の坐薬挿入や浣腸を行った後、摘便バッグを装着すれば、バッグの上から浣腸液が漏れないように肛門部を抑えることが可能であり、排便反射が起こるまで安楽な姿勢を保持しながら、便が出るのを待つことができる。排便反射後には、浣腸液と便はそのまま摘便バッグに収容でき、続けて摘便を実施する時には臭気を気にせずに排便ケアを受けることができる。
【００３４】
（３）摘便バッグ１は、便、血液、粘液等をその中に収容するので、便、血液、粘液等は、看護師等に触れない。そのため、便中に、ＭＲＳＡ、肝炎、Ｏ−１５７、エイズ等の感染性の細菌やウイルスが含まれる場合でも、看護師等への感染を抑制できる。また、患者が抗がん剤治療を受けており、便中に有害な化学物質が含まれている場合でも、看護師等への暴露を抑制できる。
【００３５】
（４）摘便バッグ１は、摘便を行うのに必要な構成がオールインワンとなっているため、別個に紙オムツ、潤滑剤、防臭剤、ビニール袋等の物品を揃える必要がない。
（５）摘便バッグ１を用いれば、便の量を容易に測定することができる。
【００３６】
（６）本体部３の内面に水溶性潤滑剤が塗布されていることにより、肛門及びその周囲粘膜を傷付けることなく、指で便をスムーズに取り出すことができる。
（７）タブ１３と指挿入部９、１１の位置関係を図５に示すものにすることにより、摘便バッグ１を正しい向きに装着することが容易になる。すなわち、横臥する患者に対し、タブ１３を目印として、それが上向きとなるように摘便バッグ１を装着すると、指挿入部９、１１の位置が、右利きの看護師等にとって、作業しやすい位置となる。
＜第２の実施形態＞
本実施形態の摘便バッグ１の構成を図６、及び図７に基づいて説明する。本実施形態の摘便バッグ１の構成は、基本的には前記第１の実施形態の場合と同様であるが、指挿入部９から開口部７までの距離と、指挿入部１１から開口部７までの距離とが等しいという点で相違する。すなわち、指挿入部９、１１の位置関係は、図６に示すように、開口部７が上側となるように摘便バッグ１を置いたとき、所定の間隔をおいて横並びとなる。指挿入部９と指挿入部１１との間隔は、看護師等が指挿入部９、１１のうちの一方に人差し指を入れ、他方に中指を入れやすいように設定された間隔である。
【００３７】
摘便バッグ１を上方（図６における上方）から見た場合において、開口部７の中心７ａを中心とする円を想定すると、その円周上において、図７に示すように、タブ１３の位置は、指挿入部９、１１の中間の位置から、時計回りにθ回転した位置である。そのθの値は、４５〜１３５度の範囲内である。また、折曲部５ｂのうちの一方はタブ１３の近傍にあり、他方の折曲部５ｂは、上記の円周における反対側にある。
【００３８】
本実施形態の摘便バッグ１は、前記第１の実施形態の場合と略同様の効果を奏することができる。
＜第３の実施形態＞
本実施形態の摘便バッグ１の構成を図８に基づいて説明する。本実施形態の摘便バッグ１の構成は、基本的には前記第２の実施形態の場合と同様であるが、本体部３と粘着部５とが一体で形成されている点で相違する。すなわち、本実施形態の摘便バッグ１は、前記第２の実施形態における本体部３と粘着部５とを併せたものと同様の形状を有する一体型の本体部２０を備えている。この本体部２０は、低アレルギー性の透明なラテックスフリー（変形可能であり、伸縮可能な材料）の薄いゴム膜から成る袋状の部材である。本体部２０のうち、前記第２の実施形態における粘着部５に対応する部分は、外側に張り出す粘着部２１である。粘着部２１のうち、図８における上面に、粘着剤層２３が形成されており、皮膚に対して貼着可能である。また、本体部２０には、指挿入部９、１１が形成されている。
【００３９】
本実施形態の摘便バッグ１は、前記第２の実施形態の場合と略同様の効果を奏することができる。
＜第４の実施形態＞
本実施形態の摘便バッグ１の構成を図９〜図１１に基づいて説明する。本実施形態の摘便バッグ１の構成は、基本的には前記第１の実施形態の場合と同様であるが、図９に示すように、指挿入部９、１１が、本体部３における底面（開口部７と対向する部分）に形成されている点と、本体部３の素材がポリエチレン系素材（変形可能であり、伸縮可能な素材）である点で相違する。本実施形態でも、指挿入部９と指挿入部１１との間隔は、看護師等が人差し指と中指を入れやすいように設定された間隔である。
【００４０】
摘便バッグ１は、前記第１の実施形態と同様に、本体部３と粘着部５とを貼り合わせる方法で製造される。本体部３の製造は、まず、図１０に示すように、外側に向かって突出する凸部１５、１７を備えた袋状の本体部３を製造する。凸部１５、１７は、本体部３における他の部分と一体成形されたものであり、本体部３における他の部分と同じ材質、及び同じ厚さを有する。そして、凸部１５、１７を本体部３の内側に押し込み、図９に示す指挿入部９、１１とする。
【００４１】
摘便バッグ１は、図１１に示すように、患者１１に装着される。装着は、摘便バッグ１の皮膚装着面５ａが、患者１０１における肛門１０３の周囲に貼着するように行う。このとき、摘便バッグ１の指挿入部９、１１は、肛門１０３に対向する。また、摘便バッグ１の内部は、外部に対して密閉される。
【００４２】
摘便バッグ１の装着後、看護師等の人差し指を指挿入部１１に挿入し、中指を指挿入部９に挿入する。看護師等が指を入れた指挿入部９、１１及び本体部３の内側を開口部７側に伸ばして、指挿入部９、１１の少なくとも一部（例えば先端を含む部分）を肛門１０３内に入れて動かすことで、患者１０１の肛門から便１０５を掻き出す。このとき、本体部３の素材が変形可能であり伸縮可能なポリエチレン系樹脂であることにより、上記の作業を容易に行うことができる。掻き出した便１０５は、本体部３の中に落とす。
【００４３】
摘便の終了後、摘便バッグ１を患者から取り外し、廃棄する。廃棄するときは、粘着部５を二つ折りにし、皮膚装着面５ａ同士を接着することが好ましい。このようにすることで、開口部７を閉じ、便の臭気の拡散や、感染を抑制することができる。
【００４４】
なお、本実施形態の摘便バック１は、前記第３の実施形態と同様に、粘着部５に相当する部分も含めて一体型の本体部を備えるものであってもよい。
尚、本発明は前記実施の形態になんら限定されるものではなく、本発明を逸脱しない範囲において種々の態様で実施しうることはいうまでもない。
【００４５】
例えば、指挿入部９、指挿入部１１の位置及び個数は、前記実施形態における位置には限定されず、適宜設定できる。例えば左利き用と右利き用に指挿入部の設置位置を変更しても良い。また、摘便バッグの形態を変更し、図１に示す本体部３と粘着部５との位置関係を図４に示すような形態に変更しても良い（変形例）。
【００４６】
即ち、本体部３の側方位置に開口７を設け、更に開口７の周囲に粘着部５を設ける。この変形例の場合も、看護師等は本体部３の外側から指を挿入した指挿入部９、１１の少なくとも一部を患者の肛門１０３に差し込んで摘便作業を行うが、指挿入部９、１１の長手方向が開口７に対してほぼ垂直となるので、肛門１０３への挿入が容易になる。このとき、指挿入部９、１１の先端は、図４において実線で示す位置にも、図４において破線で示す位置にも、移動可能である。
【００４７】
なお、粘着部５には、粘着部５を二つに折るため、上下方向に延びる２つの折曲部５ｂを設ける。折曲部５ｂは、粘着部５の表面（粘着剤が存在する面）における周囲よりも一段凹んだ溝である。折曲部５ｂは、粘着部５を、均等に２つ折にする場合における折り目線上（すなわち、粘着部５を２等分する直線上）に位置する。粘着部５は、折曲部５ｂを折り目として、粘着剤が存在する面が内側となるように、２つ折にすることができる。粘着部５を２つ折にしたとき、本体部３の開口部７は閉じられる。そのことにより、便の臭気の拡散や、感染を抑制することができる。
【図１】
0005544612.tif 000002
【図２Ａ−２Ｄ】
0005544612.tif 000003
【図３】
0005544612.tif 000004
【図４】
0005544612.tif 000005
【図５】
0005544612.tif 000006
【図６】
0005544612.tif 000007
【図７】
0005544612.tif 000008
【図８】
0005544612.tif 000009
【図９】
0005544612.tif 000010
【図１０】
0005544612.tif 000011
【図１１】
0005544612.tif 000012